(57)【要約】【課題】、撮影時に落下したとしてもレンズの破損を防止することが可能な沈胴式レンズを有するカメラを提供することを目的とする。【解決手段】本発明に係るカメラは、撮影レンズ１１１と、当該撮影レンズ１１１を収納し、撮影レンズ１１１を繰り出すためのレンズ鏡胴１１とを有する沈胴式のデジタルカメラ１であって、レンズ鏡胴１１を沈胴位置と撮影準備位置の間で駆動させる鏡胴駆動部３７と、当該鏡胴駆動部の駆動制御を行う制御部３９と、当該デジタルカメラ本体１０に加わる加速度を検出する加速度検出部３８とを備え、制御部３９は、当該加速度検出部３８によって検出された加速度に応じて、レンズ鏡胴１１をデジタルカメラ本体１０に収納するものである。【選択図】  図３
2007199567.tif 000002
【特許請求の範囲】
【請求項１】
レンズと、当該レンズを収納し、前記レンズを繰り出すためのレンズ鏡胴とを有する沈胴式のカメラであって、
前記レンズ鏡胴を沈胴位置と撮影準備位置の間で駆動させる鏡胴駆動部と、
当該鏡胴駆動部の駆動制御を行う制御部と、
当該カメラ本体に加わる加速度を検出する加速度検出部とを備え、
前記制御部は、当該加速度検出部によって検出された加速度に応じて、前記レンズ鏡胴を前記カメラ本体に収納するカメラ。
【請求項２】
前記カメラ本体が把持された把持状態又は前記カメラ本体が把持されない非把持状態を検出する把持検出部を、さらに備え、
前記制御部は、前記把持検出部が把持状態を検出した場合には、前記レンズ鏡胴の繰り出しを維持し、前記把持検出部が非把持状態を検出した場合には、前記レンズ鏡胴を前記カメラ本体に収納することを特徴とする請求項１記載の沈胴式のカメラ。
【請求項３】
当該カメラの撮影操作を行うための撮影操作部を、さらに備え、
前記制御部は、前記撮影操作部が操作された場合には、前記レンズ鏡胴の繰り出しを維持し、前記撮影操作部が操作されない場合には、前記レンズ鏡胴をカメラ本体に収納することを特徴とする請求項１又は２記載の沈胴式のカメラ。
【請求項４】
第１所定時間を計時する第１計時部を、さらに備え、
前記制御部は、前記第１計時部による計時の間に前記加速度検出部が加速度を検出した場合には、前記レンズ鏡胴をカメラ本体に収納することを特徴とする請求項１乃至３のいずれかに記載の沈胴式のカメラ。
【請求項５】
前記制御部は、前記第１計時部による計時の間に前記把持検出部が前記非把持状態を検出した場合には、第一所定時間経過後、前記レンズ鏡胴をカメラ本体に収納することを特徴とする請求項１乃至４のいずれかに記載の沈胴式のカメラ。
【請求項６】
第２所定時間を計時する第２計時部と
当該カメラの電源を供給する電源部とを、さらに備え、
前記制御部は、前記第２計時部による計時の間に前記把持検出部が前記非把持状態を検出した場合には、第二所定時間経過後、前記電源部による電源供給を停止することを特徴とする請求項１乃至５のいずれかに記載の沈胴式のカメラ。
【請求項７】
当該カメラを固定するための三脚への取付状態又は三脚から外された非取付状態を検出する三脚検出部を、さらに備え、
前記制御部は、前記三脚検出部が非取付状態を検出した場合には、前記レンズ鏡胴をカメラ本体に収納することを特徴とする請求項１乃至６のいずれかに記載の沈胴式のカメラ。
【請求項８】
レンズと、当該レンズを収納し、前記レンズを繰り出すためのレンズ鏡胴とを有する沈胴式のカメラであって、
前記レンズ鏡胴を沈胴位置と撮影準備位置の間で駆動させる鏡胴駆動部と、
当該鏡胴駆動部の駆動制御を行う制御部と、
当該カメラ本体に加わる加速度を検出する加速度検出部と、
前記カメラ本体が把持されない非把持状態を検出する把持検出部とを備え、
前記制御部は、当該把持検出部が前記非把持状態を検出し、かつ前記加速度検出部が加速度を検出した場合には、前記レンズ鏡胴を前記カメラ本体に収納するカメラ。
【請求項９】
レンズと、当該レンズを覆った状態から露出させるためのレンズカバーとを有する開閉式のカメラであって、
前記レンズカバーを開閉自在に駆動させるカバー駆動部と、
当該カバー駆動部の駆動制御を行う制御部と、
当該カメラ本体に加わる加速度を検出する加速度検出部とを備え、
前記制御部は、当該加速度検出部によって検出された加速度に応じて、前記レンズカバーを開閉するカメラ。
【請求項１０】
レンズと、当該レンズを覆った状態から露出させるためのレンズカバーとを有する開閉式のカメラであって、
前記レンズカバーを開閉自在に駆動させるカバー駆動部と、
当該カバー駆動部の駆動制御を行う制御部と、
当該カメラ本体に加わる加速度を検出する加速度検出部と、
前記カメラ本体が把持されない非把持状態を検出する把持検出部とを備え、
前記制御部は、当該把持検出部が前記非把持状態を検出し、かつ前記加速度検出部が加速度を検出した場合には、前記レンズカバーを閉じて前記レンズカバーによってレンズを被覆するカメラ。
【発明の詳細な説明】
【技術分野】
【０００１】
本発明は、カメラに関し、特に、加速度センサを用いてレンズ駆動を制御する機構を有するカメラに関する。
【背景技術】
【０００２】
近年、撮像時に沈胴位置から撮影準備位置へレンズ鏡胴が繰り出される沈胴式レンズを備えたデジタルカメラが多く発売されている。このような沈胴式のデジタルカメラでは、撮影者が撮像中にデジタルカメラを誤って落としてしまう場合には、レンズ鏡胴が撮影準備位置であるにもかかわらずそのままの状態で地面に落下してしまう。その際、レンズが地面に直に衝突する可能性があり、結果レンズの破損を招く虞がある。
【０００３】
例えば、特許文献１に、このような鏡胴が繰り出される沈胴式カメラに関する技術の一例が開示されている。特許文献１に開示のカメラでは、撮影者の把持や操作を検出し、この検出とともにタイマーで計時し、所定の時間だけ撮影動作が行われていない場合にはレンズ鏡胴を沈胴する。さらに、三脚への固定を検出し、三脚の固定を検出する場合にはレンズ鏡胴を撮影準備位置に繰り出し、検出されない場合にはレンズ鏡胴を沈胴位置に移動させる。また、このカメラでは、切換スイッチによって、レンズ鏡胴を自動的に沈胴位置に格納する破損防止モードのＯＮ／ＯＦＦを切換えることができる。
【０００４】
特許文献１では、タイマーが計時を行った後に、レンズ鏡胴は撮影準備位置から沈胴位置へ格納される。ここで、デジタルカメラを撮像中に誤って落下させる場面を想定する。さらに、タイマーが計時する時間が、デジタルカメラが地面へと衝突するまでの所要時間以上であるとする。あるいは、撮影者が破損防止モードに切換えるのを忘れていたとする。このような場合には、デジタルカメラが地面と衝突する前にレンズを沈胴位置へ格納することができず、地面との衝突によってレンズを破損させてしまう虞がある。
【特許文献１】特開２００４−７８０１０号公報
【発明の開示】
【発明が解決しようとする課題】
【０００５】
このように、従来の沈胴式レンズのカメラでは、撮影時に落下してカメラと地面とが衝突した場合には、レンズが破損するという問題点があった。
【課題を解決するための手段】
【０００６】
本発明に係るカメラは、レンズと、当該レンズを収納し、前記レンズを繰り出すためのレンズ鏡胴とを有する沈胴式のカメラであって、前記レンズ鏡胴を沈胴位置と撮影準備位置の間で駆動させる鏡胴駆動部と、当該鏡胴駆動部の駆動制御を行う制御部と、当該カメラ本体に加わる加速度を検出する加速度検出部とを備え、前記制御部は、当該加速度検出部によって検出された加速度に応じて、前記レンズ鏡胴を前記カメラ本体に収納するものである。
【０００７】
他方、本発明に係るカメラは、レンズと、当該レンズを収納し、前記レンズを繰り出すためのレンズ鏡胴とを有する沈胴式のカメラであって、前記レンズ鏡胴を沈胴位置と撮影準備位置の間で駆動させる鏡胴駆動部と、当該鏡胴駆動部の駆動制御を行う制御部と、当該カメラ本体に加わる加速度を検出する加速度検出部と、前記カメラ本体が把持されない非把持状態を検出する把持検出部とを備え、前記制御部は、当該把持検出部が前記非把持状態を検出し、かつ前記加速度検出部が加速度を検出した場合には、前記レンズ鏡胴を前記カメラ本体に収納するものである。
【０００８】
さらに、本発明に係るカメラは、レンズと、当該レンズを覆った状態から露出させるためのレンズカバーとを有する開閉式のカメラであって、前記レンズカバーを開閉自在に駆動させるカバー駆動部と、当該カバー駆動部の駆動制御を行う制御部と、当該カメラ本体に加わる加速度を検出する加速度検出部とを備え、前記制御部は、当該加速度検出部によって検出された加速度に応じて、前記レンズカバーを開閉するものである。
【０００９】
さらにまた、本発明に係るカメラは、レンズと、当該レンズを覆った状態から露出させるためのレンズカバーとを有する開閉式のカメラであって、前記レンズカバーを開閉自在に駆動させるカバー駆動部と、当該カバー駆動部の駆動制御を行う制御部と、当該カメラ本体に加わる加速度を検出する加速度検出部と、前記カメラ本体が把持されない非把持状態を検出する把持検出部とを備え、前記制御部は、当該把持検出部が前記非把持状態を検出し、かつ前記加速度検出部が加速度を検出した場合には、前記レンズカバーを閉じて前記レンズカバーによってレンズを被覆するものである。
【発明の効果】
【００１０】
本発明によれば、撮影時に落下したとしてもレンズの破損を防止することが可能な沈胴式レンズを有するカメラを提供することができる。
【発明を実施するための最良の形態】
【００１１】
以下、本発明を実施するための最良の形態について図を参照しながら説明する。
まず、図１を用いて、本発明に係るデジタルカメラの外観構成について説明する。図１（ａ）は正面上方から観察した外観斜視図、図１（ｂ）は背面上方から観察した外観斜視図、図１（ｃ）に背面下方から観察した外観斜視図である。
図１（ａ）に示すように、デジタルカメラ１の本体１０前面には、レンズ鏡胴１１、ストロボ発光部１２、対物側ファインダ窓１３が設けられている。
レンズ鏡胴１１には、撮影レンズ１１１、レンズバリア１１２が組み込まれている。ストロボ発光部１２は、被写体に向けてストロボ光を照射する。対物側ファインダ窓１３は、ファインダ１１を構成する。
【００１２】
図１（ａ）に示すように、本体１０の一方の側面に、グリップ１４が設けられている。このグリップ１４の前部にタッチセンサ１５が設けられ、グリップ１４の上面にレリーズボタン１６が設けられている。
撮影者は、このグリップ１４を右手で把持して被写体を撮影する。詳細には、撮影者は、親指とそれ以外の４本の指でグリップ１４を挟みこみ、シャッターを切るときにレリーズボタン１６を人差し指で押下する。
【００１３】
図１（ｂ）に示すように、デジタルカメラ１の本体１０の背面には、接眼側ファインダ窓１７、電源スイッチ１８、設定ボタン１９、液晶表示パネル２０が設けられている。
接眼側ファインダ窓１７は、対物側ファインダ窓１３とともにファインダ１１を構成する。電源スイッチ１８は、スライド式のスイッチであり、デジタルカメラ１の動作電源の供給をＯＮ／ＯＦＦするためのスイッチである。設定ボタン１９は、ストロボやズームなどの設定を行うためのボタンである。液晶表示パネル２０は、画像表示用の表示パネルであり、ビューファインダとして機能する。
【００１４】
図１（ｃ）に示すように、デジタルカメラ１の本体１０の底面には、三脚取付部２１が設けられている。
三脚取付部２１は、三脚を取り付けるための部位であり、その内部に三脚スイッチ２２が設けられている。
図２の平面模式図に、本発明に係るデジタルカメラ１におけるレンズ鏡胴１１の沈胴動作の一例が示されている。図２に示すように、本発明に係るデジタルカメラ１は、レンズ鏡胴１１が沈胴位置と撮影準備位置とを移動する沈胴式カメラである。具体的には、レンズ鏡胴１１が、通常の持ち運び等、撮影しない場合には本体１０に沈胴している。そして、このレンズ鏡胴１１は、撮影を行う場合には本体１０から突出して撮影準備の状態となる。
【００１５】
続いて、図３を用いて、本発明に係るデジタルカメラ１の内部構成について説明する。図３は、デジタルカメラ１の内部構成を示すブロック図である。
デジタルカメラ１は、電源部３１、把持検出部３２、三脚検出部３３、撮影操作部３４、第１計時部３５、第２計時部３６、鏡胴駆動部３７、加速度検出部３８、制御部３９を備えている。
【００１６】
電源部１４は、上記の電源スイッチ１８を含め、電源回路等の電源供給を行うための電源供給手段である。把持検出部３２は、上記のタッチセンサ１５を含め、撮影者の把持を検出するための状態検出手段である。三脚検出部３３は、上記の三脚スイッチ２２を含め、三脚への固定を検出するための状態検出手段である。
撮影操作部３４は、上記のレリーズボタン１６、設定ボタン１９、液晶表示パネル２０を含め、撮影機構や画像処理回路等の撮影するための撮影操作手段である。
【００１７】
第１計時部３５、第２計時部３６は、予め定められた時間を計測するタイマー等の計時手段の一例である。鏡胴駆動部３７は、レンズ鏡胴１１を沈胴位置と撮影準備位置との間で移動させるための駆動手段である。加速度検出部３８は、本体１０に加わる加速度を検出するための動作検出手段である。例えば、加速度検出部３８は、ＩＣ型加速度センサや、半導体ひずみゲージ方式、静電容量検出方式、電磁サーボ方式、静電サーボ方式等の組み合わせ、さらには共振周波数の変化を検出する振動検出方式センサや圧電効果を利用した圧電効果型加速度センサ等から構成することが可能である。制御部３９は、ＣＰＵやＭＰＵ等のコントローラから構成され、上記の各機能部を制御する制御手段である。
【００１８】
次に、図４を用いて、本発明に係るデジタルカメラ１による沈胴式レンズの収納動作について説明する。図４は、この収納動作の一例を示すフローチャートである。
撮影者は、デジタルカメラ１の本体１０を持った状態で電源スイッチ１８をスライドさせてＯＮする（Ｓ１０１）。すると、電源部３１は制御部３９を介して、各部に電力を供給する。制御部３９は、この電源部３１からの電力供給に応じて鏡胴駆動部３７を駆動させ、レンズ鏡胴１１を胴沈位置から撮影準備位置に繰り出す(Ｓ１０２)。
【００１９】
制御部３９は、この電源部３１からの電力供給に応じて第１計時部３５、第２計時部３６に計時を開始するための計時開始信号を入力する。第１計時部３５、第２計時部３６はそれぞれ、この計時開始信号に応じて計時を開始する（Ｓ１０３）。
撮影者がデジタルカメラ１を把持すると、把持検出部３２は、デジタルカメラ１が把持された状態を示す把持状態信号を制御部３９に入力する。より具体的には、把持検出部３２のタッチセンサ１５が、撮影者がタッチセンサ１５に触れている間は把持されているものとみなしてＯＮとなり、把持検出部３２が制御部３９に把持検出信号を入力する。制御部３９は、この把持状態信号に応じて第１計時部３５、第２計時部３６それぞれに計時開始信号を入力してリスタートさせる（Ｓ１０４）。
【００２０】
把持検出部３２は、デジタルカメラ１が把持されていない場合には把持状態を検出せず、この把持されていない状態を示す非把持状態信号を制御部３９に入力する（Ｓ１０４）。制御部３９は、この非把持状態信号に応じて、加速度検出部３８に加速度検出開始信号を入力し、加速度の検出を開始させる。
加速度検出部３８は、把持検出部３２が把持状態信号を制御部３９に入力しない場合にはデジタルカメラ１が把持されていない状態であるから、加速度を検出して加速度検出信号を制御部３９に入力する（Ｓ１０５）。制御部３９は、この加速度検出信号に応じて鏡胴駆動部３７に沈胴信号を入力し、レンズ鏡胴部１１の沈胴処理を行う（Ｓ１０９）。
【００２１】
加速度検出部３８は、加速度を検出しない場合には、デジタルカメラ１が加速度非検出状態にあるので、加速度を検出しないことを示す加速度非検出信号を制御部３９に入力する。制御部３９は、撮影操作部３４から操作されたことを示す操作信号が入力された場合には（Ｓ１０６）、撮影者がグリップ１４を把持していないが本体１０のどこかを持っているので、第１計時部３５、第２計時部３６それぞれに計時開始信号を入力してリスタートさせる（Ｓ１０３）。
【００２２】
第１計時部３５は、第１所定時間に達した場合には、計時完了信号を制御部３９に出力する。撮影操作部３４から操作信号が入力されず（Ｓ１０６）、第１計時部３５から計時完了信号が入力されないとする（Ｓ１０７）。この場合には、撮影者がデジタルカメラ１を持っている可能性が高い。制御部３９は、把持検出部３２からの把持状態信号・非把持状態信号に応じてＳ１０４〜Ｓ１０７の処理を行う。
撮影操作部３４から操作信号が入力されず（Ｓ１０６）、第１計時部３５から計時完了信号が入力されたとする（Ｓ１０７）。この場合には、撮影者がデジタルカメラ１を持っていない可能性が高い。このとき、制御部３９は、三脚検出部３３からの三脚を検出したことを示す三脚検出信号が入力された場合には（Ｓ１０８）、本体１０が三脚に固定されているので、第１計時部３５、第２計時部３６それぞれに計時開始信号を入力してリスタートさせる（Ｓ１０３）。
制御部３９は、三脚検出部３３から三脚を検出しないことを示す三脚非検出信号が入力された場合には（Ｓ１０８）、本体１０が三脚に固定されていないので、この三脚非検出信号に応じて鏡胴駆動部３７に沈胴信号を入力し、レンズ鏡胴部１１の沈胴処理を行う（Ｓ１０９）。
【００２３】
制御部３９は、沈胴処理の後に、把持状態信号が把持検出部３２から入力された場合には（Ｓ１１０）、デジタルカメラ１が把持されているので、鏡胴駆動部３７に駆動信号を入力することによって駆動し、レンズ鏡胴１１を繰り出す（Ｓ１０２）。
制御部３９は、沈胴処理の後にさらに、撮影操作部３４から操作信号が入力された場合には（Ｓ１１１）、撮影者がグリップ１４を把持していないが本体１０のどこかを持っているので、同様にレンズ鏡胴１１を繰り出す（Ｓ１０２）。
【００２４】
第２計時部３６は、第２所定時間に達した場合には、計時完了信号を制御部３９に出力する。撮影操作部３４から操作信号が入力されず、第２計時部３６から計時完了信号が入力されないとする（Ｓ１１２）。制御部３９は、把持検出部３２からの把持状態信号・非把持状態信号に応じてＳ１１０，Ｓ１１１の処理を行う。
撮影操作部３４から操作信号が入力されず、かつ、把持状態が検出されない場合に、第２計時部３６から計時完了信号が入力されたとする（Ｓ１１２）。制御部３９は、電源部３１に電源供給停止信号を出力し、電力の供給を停止して電源をＯＦＦする（Ｓ１１３）。
【００２５】
以上のように、本発明に係るデジタルカメラ１には、重力等の加速度を検出する加速度検出部３８が設けられている。これにより、デジタルカメラ１が落下状態である場合には、レンズ鏡胴１１を撮影準備位置から胴沈位置へ格納することが可能となる。特に、デジタルカメラ１に加速度検出部３８を搭載することにより、デジタルカメラ１が落下状態であることをシステム起動中常に認識させることができる。その結果、デジタルカメラ１が地面に落下している最中に、常にレンズ鏡胴１１を沈胴位置に格納することが可能となり、デジタルカメラ１の撮影レンズ１１１の破損を軽減することができる。
【００２６】
なお、本実施形態では、発明に係るカメラの好適な例として、沈胴式レンズ鏡胴を有するデジタルカメラを用いて説明したが、デジタルカメラに限らず、沈胴式レンズが落下に応じて収納する構成を有するカメラであればよい。
またなお、本実施形態では、沈胴式のレンズ鏡胴を有するカメラを用いて説明したが、本発明はスライド式のレンズカバーを開閉するものにも適用することが可能である。具体的には、沈胴式レンズ鏡胴を駆動する鏡胴駆動部に替えて、スライド式のレンズカバーを開閉する開閉駆動部が設けられ、制御部は、加速度検出部が検出した加速度に応じて開閉駆動部を駆動する。より具体的には、加速度検出部は、カメラが落下した際の加速度を検出し、制御部は、この検出した加速度に応じて開閉駆動部によってスライド式のレンズカバーを閉じる。この場合には、沈胴式レンズ鏡胴に比べて容易にレンズカバーを閉じることができ、より確実にレンズを保護することが可能である。また、これら沈胴式と開閉式とを組み合わせて沈胴したレンズ鏡胴をレンズカバーで覆ってもよい。
【図面の簡単な説明】
【００２７】
【図１】本発明に係るデジタルカメラの一構成例を示す外観模式図である。
【図２】本発明に係るデジタルカメラの沈胴状態を示す平面模式図である。
【図３】本発明に係るデジタルカメラの内部構成の一例を示すブロック図である。
【図４】本発明に係るデジタルカメラの沈胴動作の一例を示すフローチャートである。
【符号の説明】
【００２８】
１…デジタルカメラ、１０…本体、１１…レンズ鏡胴、１１１…撮影レンズ、
１１２…レンズバリア、１２…ストロボ発光部、１３…対物側ファインダ窓、
１４…グリップ、１５…タッチセンサ、１６…レリーズボタン、
１７…接眼側ファインダ窓、１８…電源スイッチ、１９…設定ボタン、
２０…液晶表示パネル、２１…三脚取付部、２２…三脚スイッチ
３１…電源部、３２…把持検出部、３３…三脚検出部、３４…撮影操作部、
３５…第１計時部、３６…第２計時部、３７…鏡胴駆動部、３８…加速度検出部、
３９…制御部
【図１】
2007199567.tif 000003
【図２】
2007199567.tif 000004
【図３】
2007199567.tif 000005
【図４】
2007199567.tif 000006